(57)【要約】  【課題】液晶パネルに表示された文字情報や画像情報を、観察者が十分に判読できる程度に、良好に拡大観察することが可能な携帯情報端末装置を提供する。  【解決手段】ビームコンバイナ２を表示部１に対して開閉可能に支持し、下記に示す範囲のうち、第１の所定角度でビームコンバイナ２を固定するビームコンバイナ開閉支持手段６を有し、ビームコンバイナ２が、表示面１ａに表示された情報を拡大して、把持部３の側方に位置する観察者の瞳Ｅ方向に反射する光学的パワーを有する。                ４５°＜α＜９０°  αは仮想面内において仮想線Ｌ１と仮想線Ｌ２とがなす角度、前記仮想面は表示部１の表示面１ａに直交し仮想線Ｌ１を含む面、仮想線Ｌ１は仮想面内にあり表示部１の一端と他端とを結ぶ直線、仮想線Ｌ２は仮想面内にありビームコンバイナ２の一端と他端とを結ぶ直線である。【選択図】  図３
2006092012.tif 000002
【特許請求の範囲】
【請求項１】
情報入力部を有する把持部と、
前記情報入力部で入力した情報又は外部から得た情報を表示する表示面を有する表示部と、
ビームコンバイナを有する携帯情報端末装置であって、
前記表示部の一端と前記ビームコンバイナの一端が交わる位置の近傍に設けられ、前記ビームコンバイナを前記表示部に対して開閉可能に支持し、下記に示す範囲のうち、第１の所定角度で前記ビームコンバイナを固定するビームコンバイナ開閉支持手段を有し、
前記ビームコンバイナが、前記表示面に表示された情報を拡大して、前記把持部の側方に位置する観察者の瞳方向に反射する光学的パワーを有することを特徴とする携帯情報端末装置。
４５°＜α＜９０°
但し、
αは、仮想面内において、第１の仮想線と第２の仮想線とがなす角度であり、
前記仮想面は、前記表示部の表示面に直交し、前記第１の仮想線を含む面であり、
前記第１の仮想線は、仮想面内にあり、前記表示部の一端と該表示部の一端と対向する他端とを結ぶ直線であり、
前記第２の仮想線は、仮想面内にあり、前記ビームコンバイナの一端と該ビームコンバイナの一端と対向する他端とを結ぶ直線である。
【請求項２】
前記表示部を前記把持部に対して開閉可能に支持し、且つ、前記表示部を展開したときの、前記把持部における観察者の瞳側の面と前記表示部の前記表示面とのなす角βが第２の所定角度となるように、前記表示部と前記把持部を固定する表示部開閉支持手段を有することを特徴とする請求項１に記載の携帯情報端末装置。
【請求項３】
前記第２の所定角度が９０°＜β＜１８０°の範囲内にあることを特徴とする請求項２に記載の携帯情報端末装置。
【請求項４】
前記第２の所定角度がβ＝１８０°であることを特徴とする請求項２に記載の携帯情報端末装置。
【請求項５】
前記第２の所定角度が１８０°＜β＜２７０°の範囲内にあることを特徴とする請求項２に記載の携帯情報端末装置。
【請求項６】
前記表示部が前記把持部に対して、該把持部における観察者の瞳側の面と前記表示部の前記表示面とのなす角βがβ＝１８０°に展開された状態で一体形成されていることを特徴とする請求項１に記載の携帯情報端末装置。
【発明の詳細な説明】
【技術分野】
【０００１】
本発明は液晶パネルなどの表示素子を有する携帯電話機等の携帯情報端末装置に関する。
【背景技術】
【０００２】
一般に、携帯電話機等の携帯情報端末の表示面には、液晶パネルが設けられている。この液晶パネルには、使用者が入力した情報や、電子メールやインターネットサイトと接続することによって受信した情報や、外部を撮影した情報が表示される。
ところで、携帯電話機等の携帯情報端末は、携帯使用を可能とし、且つ、非使用時に収納スペースをとらないように、小型・軽量化が図られている。そのため、表示パネルを大きくすることができない。
このため、携帯電話機等の携帯情報端末には、老眼や弱視等の視力が弱い観察者にとっては、携帯電話機等の液晶パネルに表示された情報が判読しずらくなる、という問題がある。
【０００３】
この問題を解消する手法としては、比較的大きな表示画面を有する装置の利用が考えられる。例えば、パーソナルコンピュータ等は非携帯の情報端末装置であるが、比較的大きな表示画面を有する。そこで、携帯電話機等の携帯情報端末を、パーソナルコンピュータ等に接続して、携帯情報端末で入力、受信、及び撮像した情報をその比較的大きな表示画面で観察することが考えられる。
しかし、そのような方法では、パーソナルコンピュータが必要不可欠となる。そうすると、普段パーソナルコンピュータを使用する必要性のない人にとっては、経済的負担や、収納スペース等の負担が生じることになる。その反面、パーソナルコンピュータとしての他の利用価値が得られない。また、そのような方法では、そもそも、パーソナルコンピュータがある場所でしか利用できないことになるので、携帯情報端末の特徴的な利点である携帯性を生かすことができない。
【０００４】
しかるに、従来、このような問題を解消することを目的とした携帯情報端末として、例えば、特許文献１に提案されたものがある。この特許文献１では、携帯情報端末は反射光学手段を備え、この反射光学手段が、表示部の表示内容を拡大反射させて使用者の目に導くようになっている。
【特許文献１】特開２０００−５９８５３号公報
【発明の開示】
【発明が解決しようとする課題】
【０００５】
しかし、特許文献１の携帯情報端末では、反射光学手段を介して表示部の表示像の大きさを拡大しても、十分な大きさに画像を拡大することが難しい。即ち、特許文献１においては、液晶表示部２と蓋部材４（凹面鏡３）とのなす角が鈍角になっている。このような構成では、凹面鏡３への光線入射角が大きくなることから、光学的な補正を十分に行うことができなくなる。その結果、拡大された表示内容に、例えば歪みが生じる可能性がある。そのため、液晶パネルに表示された情報の判読が困難な観察者にとって、判読の困難さを解消することが十分にできない。
【０００６】
本発明は、上記問題点に鑑みてなされたものであり、液晶パネルに表示された文字情報や画像情報を、観察者が十分に判読できる程度に、良好に拡大観察することが可能な携帯情報端末装置を提供することを目的とする。
【課題を解決するための手段】
【０００７】
上記目的を達成するため、本発明による携帯情報端末装置は、情報入力部を有する把持部と、前記情報入力部で入力した情報又は外部から得た情報を表示する表示面を有する表示部と、ビームコンバイナを有する携帯情報端末装置であって、前記表示部の一端と前記ビームコンバイナの一端が交わる位置の近傍に設けられ、前記ビームコンバイナを前記表示部に対して開閉可能に支持し、下記に示す範囲のうち、第１の所定角度で前記ビームコンバイナを固定するビームコンバイナ開閉支持手段を有し、前記ビームコンバイナが、前記表示面に表示された情報を拡大して、前記把持部の側方に位置する観察者の瞳方向に反射する光学的パワーを有することを特徴としている。
４５°＜α＜９０°
但し、αは、仮想面内において、第１の仮想線と第２の仮想線とがなす角度であり、前記仮想面は、前記表示部の表示面に直交し、前記第１の仮想線を含む面であり、前記第１の仮想線は、仮想面内にあり、前記表示部の一端と該表示部の一端と対向する他端とを結ぶ直線であり、前記第２の仮想線は、仮想面内にあり、前記ビームコンバイナの一端と該ビームコンバイナの一端と対向する他端とを結ぶ直線である。
【０００８】
また、本発明の携帯情報端末装置においては、前記表示部を前記把持部に対して開閉可能に支持し、且つ、前記表示部を展開したときの、前記把持部における観察者の瞳側の面と前記表示部の前記表示面とのなす角βが第２の所定角度となるように、前記表示部と前記把持部を固定する表示部開閉支持手段を有するのが好ましい。
【０００９】
また、本発明の携帯情報端末装置においては、前記第２の所定角度が９０°＜β＜１８０°の範囲内にあるようにするのが好ましい。
【００１０】
また、本発明の携帯情報端末装置においては、前記第２の所定角度がβ＝１８０°であるようにするのが好ましい。
【００１１】
また、本発明の携帯情報端末装置においては、前記第２の所定角度が１８０°＜β＜２７０°の範囲内にあるに表示された情報を前記把持部の側方に位置する観察者の瞳方向に反射するようにするのが好ましい。
【００１２】
また、本発明の携帯情報端末装置においては、前記表示部が前記把持部に対して、該把持部における観察者の瞳側の面と前記表示部の前記表示面とのなす角βがβ＝１８０°に展開された状態で一体形成されているのが好ましい。
【発明の効果】
【００１３】
本発明によれば、液晶パネルに表示された文字情報や画像情報を良好に拡大観察することが可能な携帯情報端末装置が得られる。また、観察者が観察する際の視野角を広くすることができるので、十分に判読できる程度に、画像（情報）を拡大することができる。
【発明を実施するための最良の形態】
【００１４】
実施例の説明に先立ち、本発明の作用効果について説明する。
図１は携帯情報端末装置の表示部とビームコンバイナとの位置と観察像との関係を示す説明図であり、(a)は比較例にかかる従来の携帯情報端末装置における説明図、(b)は本発明の一実施形態にかかる携帯情報端末装置における説明図をそれぞれ示している。なお、図１中、Ｅは観察者の眼球である。
携帯情報端末装置は、情報入力部を有する把持部と、表示面１ａを有する表示部１と、ビームコンバイナ２と、支持部を有している。ここで、情報入力部と把持部は、図１では、図示を省略している。また、表示面１ａは、前記情報入力部で入力した画像（情報）又は外部から得た画像（情報）を表示する。ビームコンバイナ２は、表示面１ａに表示された画像（情報）を、拡大するような光学的パワーを持つ。このビームコンバイナ２は、ハーフミラーで構成されている。また、支持部は、表示部１の一端とビームコンバイナ２の一端が交わる位置、あるいはその近傍に設けられている。
表示部１の表示面１ａに表示された画像（情報）は、ビームコンバイナ２で反射されて観察者の瞳Ｅに導かれる。観察者の瞳Ｅからは、ビームコンバイナ２を隔てた所定の位置に、表示面１ａに表示された画像（情報）の虚像Ｉが、拡大形成される。よって、観察者は、この虚像Ｉを拡大観察できる。
【００１５】
ここで、図１(a)に示すように、αが９０°を上回ると、観察者の瞳Ｅから虚像Ｉを観察する時の視野角が狭くなる。そのため、観察者が観察できる像Ｉの大きさを、大きくとることができない。また、表示部１に表示された文字情報や画像情報を、良好に拡大観察することが困難になる。なお、αは、仮想面内において、第１の仮想線と第２の仮想線とがなす角度である。そして、この仮想面は、表示部１の表示面１ａに直交し、第１の仮想線を含む面である。また、第１の仮想線は、表示部１の一端と、この一端と対向する他端とを結ぶ直線である。第２の仮想線は、ビームコンバイナ２の一端と、この一端と対向する他端とを結ぶ直線である。第１の仮想線及び第２の仮想線は、いずれも、上記仮想面内にある。
なお、図１では、第１の仮想線は、記号Ｌ１で示されている直線である。第２の仮想線は、記号Ｌ２で示されている直線である。図１における直線Ｌ２は、ビームコンバイナ２の有効光路面の両端２ａ，２ｂを結ぶ直線である。このように、第２の仮想線は、ビームコンバイナ２の両端を結ぶ直線であっても、有効光路面の両端を結ぶ直線であっても良い。
【００１６】
これに対し、図１(b)に示すように、αが４５°＜α＜９０°の範囲となるようにする。このようにすれば、図１(a)に示す構成と比べて、面積が同じビームコンバイナ２でありながら、観察者の瞳Ｅから虚像Ｉを観察する時の視野角が広くなる。そのため、観察者が観察できる像Iの大きさを、大きくとることができる。
【００１７】
そこで、本実施形態の携帯情報端末装置では、ビームコンバイナ２を表示部１に対して開閉可能に支持し、αを４５°＜α＜９０°の範囲の所定角度に固定するビームコンバイナ開閉支持手段（図１において図示省略）を設けた。そして、前記所定角度に展開された状態のビームコンバイナ２を介して、表示面１ａに表示された情報を、把持部の側方に位置する観察者の瞳Ｅ方向に反射するようにした。このようにすれば、従来の携帯情報端末装置に比べて、観察者が観察可能な像Ｉを十分に大きくとることができる。その結果、本発明では、表示面１ａに表示された画像（情報）の大きさが従来の携帯電話機装置と同じであっても、観察者が十分に判読できる程度に、画像（情報）を拡大して観察することができる。
【００１８】
なお、本実施形態の携帯情報端末装置では、表示面１ａで表示された画像をビームコンバイナ２で反射して、観察者の瞳に導くように構成している。このような構成の携帯情報端末装置においては、ビームコンバイナ２が、表示面１ａに対して偏心配置されている。このため、ビームコンバイナ２を介して観察される像に偏心収差が生じやすい。
しかるに、本実施形態のように、ビームコンバイナ２に非対称なパワーを持たせる。具体的には、第２の仮想線に沿う方向において、徐々にパワーが変化するように、ビームコンバイナ２の光学面を形成する。このようにすれば、表示面１ａに対しビームコンバイナ２が偏心していることにより偏心収差が発生しても、この偏心収差を補正することができる。
【００１９】
なお、αが４５°を下回ると、観察者の瞳Eの位置が携帯情報端末の本体（表示部及び把持部）に近づき過ぎて、観察し難くなってしまう。
【００２０】
なお、本発明の携帯情報端末装置においては、前記表示部を前記把持部に対して開閉可能に支持し、且つ、前記表示部を展開したときの、前記把持部における観察者の瞳側の面と前記表示部の前記表示面とのなす角βを所定角度に固定する表示部開閉支持手段を有してもよい。
【００２１】
その場合は、前記表示部が前記把持部に対して、該把持部における観察者の瞳側の面と前記表示部の前記表示面とのなす角βが９０°＜β＜１８０°の所定角度に展開された状態、β＝１８０°に展開された状態、或いは１８０°＜β＜２７０°の所定角度に展開された状態において、αが４５°＜α＜９０°の範囲の所定角度に展開された状態の前記ビームコンバイナを介して、前記表示面に表示された情報を前記把持部の側方に位置する観察者の瞳方向に反射するように構成するのが好ましい。
【００２２】
また、本発明の携帯情報端末装置においては、前記表示部が前記把持部に対して、該把持部における観察者の瞳側の面と前記表示部の前記表示面とのなす角βがβ＝１８０°に展開された状態で一体形成された構成であってもよい。
【００２３】
以下、本発明の実施例につき図面を用いて説明する。
【実施例１】
【００２４】
図２は本発明の実施例１にかかる携帯情報端末装置を示す斜視図であり、(a)は表示部を閉じた状態、(b)は表示部を展開した状態、(c)は(b)の状態からビームコンバイナを展開した状態を示している。図３は図２の携帯情報端末装置を側方からみた概略図であり、(a)は表示部を閉じた状態、(b)は表示部を展開した状態、(c)は(b)に示す状態からビームコンバイナを展開した状態を示している。図４は図２(c)に示す状態の携帯情報端末装置における表示部及びビームコンバイナと観察者の瞳位置との関係を示す説明図、図５は図２の携帯情報端末装置の分解図で、(a)は表示部、把持部、ビームコンバイナの分解斜視図、(b)は表示部開閉支持手段の一例を示す分解斜視図である。
【００２５】
実施例１の携帯情報端末装置は、情報入力部４を有する把持部３と、表示面１ａを有する表示部１と、光学的パワーを有するビームコンバイナ２と、表示部開閉支持手段５を有している。ここで、表示面１ａは、情報入力部４で入力した情報、又は外部から受信した情報を表示する。また、表示部開閉支持手段５は、表示部１を把持部３に対して開閉可能に支持している。このような構成により、実施例１の携帯情報端末装置は、所謂折り畳みタイプの携帯電話機として構成されている。
【００２６】
表示部開閉支持手段５は、図５に示すように、円筒部５ｂと円筒部５ａと、バネ５ｃと、球状部材５ｄと、ピン５ｅと、止め具５ｆを有している。ここで、円筒部５ｂは、表示部１の一端に一体形成されている。また、円筒部５ａは、把持部３の一端に一体形成されている。
円筒部５ａには、長手方向に沿って、中央に貫通孔５ａ１が形成されている。そして、円筒部５ａの一端には、ピン５ｅの頭部を収納するための凹部５ａ２が、他端には、バネ５ｃを取り付けるための取付部（図示省略）が、それぞれ形成されている。
円筒部５ｂの中央には、長手方向に沿って、中央に貫通孔５ｂ１が形成されている。そして、円筒部５ｂの一端には、止め具５ｆを収納するための凹部（図示省略）が、他端には、球状部材５ｄの一部を嵌合可能な係止溝５ｂ２，５ｂ３が、それぞれ形成されている。
【００２７】
そして、表示部開閉支持手段５では、バネ５ｃを円筒部５ａの取付部に取り付けるとともに、バネ５ｃの先端に球状部材５ｄを取り付けている。そして、この状態で、ピン５ｅを円筒部５ａの凹部５ａ２側から、円筒部５ａ，５ｂの貫通孔５ａ１，５ｂ１に通し、その先端を止め具５ｆで止めている。このような構成により、表示部開閉支持手段５は、表示部１を把持部３に対し開閉可能に支持している。
また、表示部開閉支持手段５では、表示部１を展開したときに、球状部材５ｄが係止溝５ｂ２，５ｂ３に嵌合し、且つ、バネ５ｃに付勢される。このようにすることによって、把持部３における観察者の瞳側の面と表示部１の表示面１ａとのなす角βを０°（閉じた状態の角度β）、及び９０°＜β＜１８０°（展開した状態の角度β）に固定することができるようになっている。
なお、表示部を把持部に対して開閉可能に支持し、且つ、表示部を展開したときの、把持部における観察者の瞳側の面と表示部の表示面とのなす角βを所定角度（上記例では９０°＜β＜１８０°）に固定することができる構成であれば、表示部開閉支持手段５の具体的な構成は、上記構成に限定されるものではない。例えば、円筒部５ａ，５ｂのそれぞれに磁石を備えた係止部を設け、互いの係止部が当接したときに上記把持部における観察者の瞳側の面と表示部の表示面とのなす角βが９０°＜β＜１８０°となり、且つ、磁力でその状態が保持されるように構成してもよい。
【００２８】
また、実施例１の携帯情報端末装置は、ビームコンバイナ開閉支持手段６を有している。ビームコンバイナ開閉支持手段６は、円筒部６ａと係止部６ｂと、円筒部６ｃと、係止爪６ｃ２と、図示省略したピン及び止め具を有している。ここで、円筒部６ａと係止部６ｂは、表示部１の他端に一体形成されている。一方、円筒部６ｃは、ビームコンバイナ２の一端に一体形成されている。また、係止爪６ｃ２は、円筒部６ｃに一体形成されている。
円筒部６ａ，６ｃには、中央に貫通孔６ａ１，６ｃ１がそれぞれ形成されている。係止部６ｂ及び係止爪６ｃ２にはそれぞれ磁石が設けられている。
【００２９】
そして、ビームコンバイナ開閉支持手段６は、図示省略したピンを円筒部６ａ，６ｃの貫通孔６ａ１，６ｃ１に通し、その先端を図示省略した止め具で止めて構成されている。このような構成により、ビームコンバイナ開閉支持手段６は、ビームコンバイナ２を、表示部１に対し開閉可能に支持している。
また、ビームコンバイナ開閉支持手段６は、ビームコンバイナ２を展開したときに、係止爪６ｃ２が係止部６ｂに当接し、且つ、互いの磁力でその状態を保持することでαを４５°＜α＜９０°の範囲の所定角度に固定することができるようになっている。
なお、ビームコンバイナ開閉支持手段６は、ビームコンバイナを表示部に対して開閉可能に支持し、且つ、αを４５°＜α＜９０°の範囲の所定角度に固定することができる構成であれば、上記構成に限定されるものではない。例えば、表示部開閉支持手段５における球状部材５ｄが係止溝５ｂ２，５ｂ３に嵌合し、且つ、バネ５ｃに付勢される構成と同様に構成してもよい。
【００３０】
そして、実施例１の携帯情報端末装置は、表示部１が把持部３に対して、把持部３の観察者の瞳側の面と表示部１の表示面１ａとのなす角βが９０°＜β＜１８０°の所定角度に展開された状態において、αが４５°＜α＜９０°の範囲の所定角度に展開された状態のビームコンバイナ２を介して、図４に示すように表示面１ａに表示された情報が観察者の瞳Ｅ方向に反射されるようになっている。
【００３１】
図６は本発明の実施例１の一変形例にかかる携帯情報端末装置を側方からみた概略図であり、(a)は表示部を閉じた状態、(b)は表示部を展開した状態、(c)は(b)の状態からビームコンバイナを展開した状態を示している。図７は図６(c)に示す状態の携帯情報端末装置における表示部及びビームコンバイナと観察者の瞳位置との関係を示す説明図である。
図６の変形例の携帯情報端末装置は、表示部開閉支持手段５が、表示部１を展開したときの、把持部３における観察者の瞳側の面と表示部１の表示面１ａとのなす角βをβ＝１８０°に固定することができるように構成されている。そして、表示部１が把持部３に対して、把持部３の観察者の瞳側の面と表示部１の表示面１ａとのなす角βがβ＝１８０°に展開された状態において、αが４５°＜α＜９０°の範囲の所定角度に展開された状態のビームコンバイナ２を介して、図７に示すように表示面１ａに表示された情報が観察者の瞳Ｅ方向に反射されるようになっている。
その他の構成は、図２〜５に示した携帯情報端末装置とほぼ同じである。
【００３２】
図８は本発明の実施例１の他の変形例にかかる携帯情報端末装置を側方からみた概略図であり、(a)は表示部を閉じた状態、(b)は表示部を展開した状態、(c)は(b)の状態からビームコンバイナを展開した状態を示している。図９は図８(c)に示す状態の携帯情報端末装置における表示部及びビームコンバイナと観察者の瞳位置との関係を示す説明図である。
図８の変形例の携帯情報端末装置は、表示部開閉支持手段５が、表示部１を展開したときの、把持部３における観察者の瞳側の面と表示部１の表示面１ａとのなす角βを１８０°＜β＜２７０°の所定角度に固定することができるように構成されている。そして、表示部１が把持部３に対して、把持部３の観察者の瞳側の面と表示部１の表示面１ａとのなす角βが１８０°＜β＜２７０°の所定角度に展開された状態において、αが４５°＜α＜９０°の範囲の所定角度に展開された状態のビームコンバイナ２を介して、図９に示すように表示面１ａに表示された情報が観察者の瞳Ｅ方向に反射されるようになっている。
その他の構成は、図２〜５に示した携帯情報端末装置とほぼ同じである。
なお、実施例１では、表示部開閉支持手段５が、表示部を展開したときの、把持部における観察者の瞳側の面と表示部の表示面とのなす角βを９０°＜β＜１８０°、β＝１８０°、１８０°＜β＜２７０°のいずれかにおける所定角度にそれぞれ固定することができるように構成を示したが、表示部開閉支持手段５は、複数の角度（例えば、９０°＜β＜１８０°の所定角度、及びβ＝１８０°）に展開し、且つその状態を固定することができるように構成してもよい。
【実施例２】
【００３３】
図１０は本発明の実施例２にかかる携帯情報端末装置を側方からみた概略図であり、(a)は初期状態、(b)は(a)の状態からビームコンバイナを展開した状態を示している。
実施例２の携帯情報端末装置は、表示部１が把持部３に対して、把持部３における観察者の瞳側の面と表示部１の表示面１ａとのなす角βがβ＝１８０°に展開された状態で一体形成されている。そして、αが４５°＜α＜９０°の範囲の所定角度に展開された状態のビームコンバイナ２を介して、図７に示す状態と同様に、表示面１ａに表示された情報が観察者の瞳方向に反射されるようになっている。
その他の構成は、実施例１に示した携帯情報端末装置とほぼ同じである。
【実施例３】
【００３４】
図１１は本発明の実施例３にかかる携帯情報端末装置を側方からみた概略図であり、(a)は表示部を閉じた状態、(b)は表示部を展開した状態、(c)は(b)の状態からビームコンバイナを展開した状態を示している。
実施例３の携帯情報端末装置は、表示面１ａが表側と裏側の両面に設けられている。また、ビームコンバイナ２は、表示部１における操作部４とは反対側の一端に設けられている。
また、表示部開閉支持手段５は、表示部１を展開したときの、把持部３における観察者の瞳側の面と表示部１の裏側表示面１ａｒとのなす角βを１８０°＜β＜２７０°の所定角度に固定することができるように構成されている。そして、表示部１が把持部３に対して、１８０°＜β＜２７０°の所定角度に展開された状態において、αが４５°＜α＜９０°の範囲の所定角度に展開された状態のビームコンバイナ２を介して、裏側表示面１ａｒに表示された情報が観察者の瞳Ｅ方向に反射されるようになっている。
その他の構成及び作用効果は、実施例１の携帯情報端末装置とほぼ同じである。
【００３５】
なお、実施例３においても実施例１と同様に変形例として、表示部開閉支持手段５が、表示部を展開したときの、把持部３における観察者の瞳Ｅ側の面と表示部１の裏側表示面１ａｒとのなす角βを９０°＜β＜１８０°の範囲のうちの所定角度、又はβ＝１８０°の所定角度に固定することができるように構成してもよい。また、表示部開閉支持手段５を、複数の角度（例えば、９０°＜β＜１８０°、の所定角度、及びβ＝１８０°）に展開し、且つその状態を固定することができるように構成してもよい。
【図面の簡単な説明】
【００３６】
【図１】携帯情報端末装置の表示部とビームコンバイナとの位置と観察像との関係を示す説明図であり、(a)は比較例にかかる従来の携帯情報端末装置における説明図、(b)は本発明の一実施形態にかかる携帯情報端末装置における説明図をそれぞれ示している。
【図２】本発明の実施例１にかかる携帯情報端末装置を示す斜視図であり、(a)は表示部を閉じた状態、(b)は表示部を展開した状態、(c)は(b)の状態からビームコンバイナを展開した状態を示している。
【図３】図２の携帯情報端末装置を側方からみた概略図であり、(a)は表示部を閉じた状態、(b)は表示部を展開した状態、(c)は(b)に示す状態からビームコンバイナを展開した状態を示している。
【図４】図２(c)に示す状態の携帯情報端末装置における表示部及びビームコンバイナと観察者の瞳位置との関係を示す説明図である。
【図５】図２の携帯情報端末装置の分解図で、(a)は表示部、把持部、ビームコンバイナの分解斜視図、(b)は表示部開閉支持手段の一例を示す分解斜視図である。
【図６】本発明の実施例１の一変形例にかかる携帯情報端末装置を側方からみた概略図であり、(a)は表示部を閉じた状態、(b)は表示部を展開した状態、(c)は(b)の状態からビームコンバイナを展開した状態を示している。
【図７】図６(c)に示す状態の携帯情報端末装置における表示部及びビームコンバイナと観察者の瞳位置との関係を示す説明図である。
【図８】実施例１の他の変形例にかかる携帯情報端末装置を側方からみた概略図であり、(a)は表示部を閉じた状態、(b)は表示部を展開した状態、(c)は(b)の状態からビームコンバイナを展開した状態を示している。
【図９】図８(c)に示す状態の携帯情報端末装置における表示部及びビームコンバイナと観察者の瞳位置との関係を示す説明図である。
【図１０】本発明の実施例２にかかる携帯情報端末装置を側方からみた概略図であり、(a)は初期状態、(b)は(a)の状態からビームコンバイナを展開した状態を示している。
【図１１】本発明の実施例３にかかる携帯情報端末装置を側方からみた概略図であり、(a)は表示部を閉じた状態、(b)は表示部を展開した状態、(c)は(b)の状態からビームコンバイナを展開した状態を示している。
【符号の説明】
【００３７】
１          表示部
１ａ        表示面
１ａｆ      表側表示面
１ａｒ      裏側表示面
２          ビームコンバイナ
２ａ，２ｂ  有効光路面の端部
３          把持部
４          情報入力部
５          表示部開閉支持手段
５ａ，５ｂ  円筒部
５ａ１，５ｂ１          貫通孔
５ａ２      凹部
５ｂ２，５ｂ３          係止溝
５ｃ        バネ
５ｄ        球状部材
５ｅ        ピン
５ｆ        止め具
６          ビームコンバイナ開閉支持手段
６ａ，６ｃ  円筒部
６ａ１，６ｃ１          貫通孔
６ｂ        係止部
６ｃ２      係止爪
【図１】
2006092012.tif 000003
【図２】
2006092012.tif 000004
【図３】
2006092012.tif 000005
【図４】
2006092012.tif 000006
【図５】
2006092012.tif 000007
【図６】
2006092012.tif 000008
【図７】
2006092012.tif 000009
【図８】
2006092012.tif 000010
【図９】
2006092012.tif 000011
【図１０】
2006092012.tif 000012
【図１１】
2006092012.tif 000013